(57)【要約】【課題】ゴミ集積場所に烏が寄り付くことを効果的に防止できる烏飛来防止装置を得る。【解決手段】主軸２の一方の端に主軸２を支持可能な台３が設けられ、主軸の他方の端には第１ハブ４が設けられ、主軸２の中央部には主軸２に沿って移動可能な第２ハブ１０が設けられ、第１ハブ４には、複数の第１補助軸８の一方端が放射状にヒンジ接続され、第２ハブ１０には、複数の第２補助軸１３の一方端が放射状にヒンジ接続され、第１補助軸８の他方端は、第２補助軸１３にヒンジ接続され、第２補助軸１３の他方端からは、飛来防止部材１７が垂下している。第２ハブ１０を主軸２に沿ってスライドさせることにより、第２補助軸１３を開閉することができる。【選択図】　図１
2004075261.tif 000002
【特許請求の範囲】
【請求項１】
主軸の一方の端には当該主軸を支持可能な台が設けられ、
上記主軸の他方の端には第１のハブが設けられ、
上記主軸の中央部には当該主軸に沿って移動可能な第２のハブが設けられ、
上記第１のハブには、複数の第１の補助軸の一方の端が放射状にヒンジ接続され、
上記第２のハブには、複数の第２の補助軸の一方の端が放射状にヒンジ接続され、
上記第１の補助軸の他方の端は、第２の補助軸にヒンジ接続され、
上記第２の補助軸の他方の端には、飛来防止部材を垂下させたことを特徴とする烏飛来防止装置。
【請求項２】
前記飛来防止部材は、黒色のビニールコード又は黒色の短冊状ビニールシートであることを特徴とする請求項１記載の烏飛来防止装置。
【請求項３】
前記台の内部には駆動源と駆動力伝達手段が設けられ、当該駆動源による駆動力は駆動力伝達手段を介して前記主軸に伝達されることを特徴とする請求項１又は２記載の烏飛来防止装置。
【発明の詳細な説明】
【０００１】
【発明の属する技術分野】
本発明は、ゴミ集積場所において、烏が生ゴミをあさって散らかすのを防止する烏飛来防止装置に関するものである。
【０００２】
【従来の技術】
ゴミ集積場所においては、収集前のゴミを狙って烏が集まり、烏はゴミ袋をつついて破り、周辺にゴミ袋の中身である生ゴミを散らかし、悪臭を放ち、町の美観を損ねることが問題となっている。
【０００３】
そのため、ゴミに烏が寄り付かないようにする技術が従来から知られている。例えば、鳥類が磁気を嫌うことを利用してゴミ袋に磁性塗料で印刷し、これを着磁するという技術が提案されている。また、ゴミ集積場所を大きな篭や網で覆う技術も提案されている。
【０００４】
【発明が解決しようとする課題】
しかし、前者の技術では、ゴミ袋に着磁することでゴミ袋自体のコストが高くなり、利用者の経済負担が大きくなるといった問題がある。また、ゴミ焼却時のダイオキシン発生の懸念もあり、環境重視の現代においては、普及が難しいと考えられる。さらに、烏は適応性が高いため、長期に渡って十分な効果を発揮するかどうかには疑問がある。
【０００５】
また、後者の技術では、烏が籠や網の隙間からゴミをつついて散らしたり、また、ゴミ捨て時や収集時に篭や網を逐次被せたり取り外したりする必要があり、ゴミ集積場所へのゴミの出し入れが煩雑となり、ゴミ収集に手間と時間がかかるといった問題がある。
【０００６】
本発明は、上記の事情に基づきなされたもので、ゴミ集積場所に烏が寄り付くことを効果的に防止し、また、スムーズなゴミ収集が可能となる装置を提供することを目的とする。
【０００７】
【課題を解決するための手段】
上述の目的を達成するため、本発明の烏飛来防止装置は、主軸の一方の端には当該主軸を支持可能な台が設けられ、主軸の他方の端には第１のハブが設けられ、主軸の中央部には当該主軸に沿って移動可能な第２のハブが設けられ、第１のハブには、複数の第１の補助軸の一方の端が放射状にヒンジ接続され、第２のハブには、複数の第２の補助軸の一方の端が放射状にヒンジ接続され、第１の補助軸の他方の端は、第２の補助軸にヒンジ接続され、第２の補助軸の他方の端には、飛来防止部材を垂下させたものである。
【０００８】
また、他の発明は、上述の発明に加えて更に、飛来防止部材を、黒色のビニールコード又は黒色の短冊状ビニールシートとしたものである。
【０００９】
さらに、他の発明は、上述の各発明に加えて更に、台の内部には駆動源と駆動力伝達手段が設けられ、当該駆動源による駆動力は駆動力伝達手段を介して前記主軸に伝達されるものである。
【００１０】
【発明の実施の形態】
以下、本発明の一実施の形態について、図１から図４に基づいて説明する。図１は、本発明の烏飛来防止装置１の構成を示す側面図である。図１に示すように、烏飛来防止装置１の全体を支える主軸２が、台３の中央部から鉛直方向上方に向けて取り付けられている。台３は、烏飛来防止装置１全体の重量を支え、バランスを保持するのに十分な重量及び地表との設置面積を備えた範囲で任意に設計可能である。
【００１１】
主軸２の他方の端には、第１のハブ４が取り付けられている。図４に示すように、第１のハブ４には、平板状の係止部５が放射状に突出形成されている。係止部５にはボルト６ａを挿入可能な孔７が水平方向に設けられている。
【００１２】
ボルト６ａは、第１の補助軸８の一方の端に設けられた挿嵌孔９に挿入され、第１の補助軸８はボルト６ａを中心に鉛直面内を回転可能にヒンジ接続されている。このようなヒンジ接続が、第１のハブ４に設けられた複数個の係止部５それぞれにおいて行われることで、図３に示すように、第１の補助軸８は第１のハブ４の外周に放射状に接続される。なお、第１の補助軸８の本数は任意に設計変更可能であるが、１０本程度が適当であり、補助軸８の本数に合わせて第１のハブ４に設けられる係止部５の数も適宜設計変更する必要がある。
【００１３】
主軸２の中央部外周には、円筒状の第２のハブ１０が挿入されている。この第２のハブ１０は、主軸２の外径よりもわずかに大きい内径を有することで、手動により主軸２に沿って主軸２の外周をスライド可能となっている。
【００１４】
第２のハブ１０の外周面にも、上述した第１のハブ４に設けられた平板状の係止部５と同様形状の係止部１１が、同じ個数だけ同様の位置に放射状に突出形成されている。また、係止部１１にもボルト６ｂが挿入可能な孔１２が水平方向に設けられている。
【００１５】
ボルト６ｂは、第２の補助軸１３の一方の端に設けられた挿嵌孔１２に挿入され、第２の補助軸１３はボルト６ｂを中心に鉛直平面内を回転可能にヒンジ接続されている。このようなヒンジ接続が、第２のハブ１０に設けられた複数個の係止部１１それぞれにおいて行われることで、第２の補助軸１３は第２のハブ１０の外周に放射状に接続されている。
【００１６】
第１の補助軸８の他方の端には挿嵌孔１４が設けられ、第２の補助軸１３の長さ方向のほぼ中央部には挿嵌孔１５が設けられ、ボルト６ｃを上記挿嵌孔１４、１５に挿入することで、第１の補助軸８と第２の補助軸１３は、ボルト６ｃを中心に鉛直平面内において相対回転可能にヒンジ接続されている。
【００１７】
第２の補助軸１３が水平となる位置に第２のハブ１３を固定するため、主軸２の所定の位置に直径方向の孔１６ａが設けられている。第２のハブ１０は主軸２に沿ってスライド可能に取り付けられているが、第２の補助軸１３が水平となる状態において、第２のハブ１０の下端に対応する位置に上記孔１６ａを設け、この孔１６ａに例えばＬ字型の固定具を挿入することで、固定具がストッパーとなり、第２のハブ１０は主軸２の所定の位置に固定可能となる。
【００１８】
第２の補助軸１３の他方の端には、烏の飛来を防止するための飛来防止部材１７を垂下させる。この飛来防止部材１７は、一定の長さを有し、風に揺れるような材質のものが適当である。例えば、黒色のビニールコードであったり、黒色の短冊状ビニールシートであると、烏飛来防止の効果が高い。
【００１９】
台３の周辺に集積されるゴミの周囲を飛来防止部材１７で覆うべく、飛来防止部材１７は地面に届く位の長さ、または地面から僅かに離れる程度の長さであることが望ましい。飛来防止部材１７が風に任せて揺れることで、烏が警戒心を抱き、ゴミ集積場所に寄り付かなくなり、烏によるゴミの散乱を防止し、町の美観を保全することができる。
【００２０】
また、台３の内部に駆動源としてのモータ１８と駆動力伝達手段としてのギア列を設け、図示しない電源によりモータ１８を回転させ、この駆動力を、ギア列を介して主軸２に伝達させる。これにより主軸２が回転し、主軸２に取り付けられた第１の補助軸８及び第２の補助軸１３を介して飛来防止部材１７が回転し、より効果的に烏の飛来を防止することができる。なお、モータ１８の回転数は、６〜１０ｒｐｍ程度が好ましい。モータ１８はギア付きモータとし、その減速出力軸に主軸２を連結してもよい。モータ１８が駆動源、ギアが駆動力伝達手段となっている。
【００２１】
図２は、烏飛来防止装置１を折りたたんだ状態を示す側面図である。Ｌ字型の固定具を孔１６ａから抜き出し、第２のハブ１０を主軸２に沿って下方にスライドさせると、第２のハブ１０にヒンジ接続された第２の補助軸１３はボルト６ａを中心に回転し、これに連動して第１の補助軸８はボルト６ｂを中心に回転する。これにより主軸２を中心に放射状に広がっていた第１の補助軸８、第２の補助軸１３、飛来防止部材１７は主軸２の近傍に終結し、コンパクトな形態になる。
【００２２】
Ｌ字型固定具を、主軸２の下端に対応して主軸２に設けられた孔１６ｂに挿入することで、第２のハブ１０は上方にスライドされることなく保持できる。図２に示すように、烏飛来防止装置１は折りたたみが可能であるため、ゴミ集積場所にゴミがない場合には、折りたたんでコンパクトに設置しておくことが可能であり、省スペース化を図ることができる。
【００２３】
以上、本発明の一実施の形態について説明したが、本発明はこれ以外にも種々変形可能である。例えば、主軸２を径の異なる複数の円筒を重ねた構成とすることで、高さ調整を可能とし、ゴミ集積場所の広さに応じた大きさに調節することが可能である。さらに、第１の補助軸８及び第２の補助軸１３の長さも適宜調節することで、ゴミ集積場所の広さやゴミの量に応じた烏飛来防止装置を提供することも可能である。
【００２４】
また、上記実施の形態では、第２のハブ１０の固定手段をＬ字型の固定手段としているが、かかる形態に限られるものではなく、第２のハブ１０を所定の位置に固定可能な任意の構造に設計変更可能である。
【００２５】
さらに、タイマーを設けて、必要な時間に限り烏飛来防止装置を稼動させることで、電力の節約も可能である。また、モータの回転数を変えることで烏飛来防止部材の回転速度を変化させ、烏が本発明に慣れてしまうことを防止し、長期間に渡って十分な烏飛来防止効果を発揮することも可能である。
【００２６】
また、主軸２、第１の補助軸８、第２の補助軸１３の材質をアルミニウムとすることで、烏飛来防止装置全体の軽量化を図ることができ、電力消費の節減や移動時の労力低減を図ることもできる。
【００２７】
さらに、スピーカーを設け、視覚効果のみならず聴覚効果も利用して、より一層、烏飛来防止効果の向上を図ることも可能である。
本発明装置の大きさは、垂下される飛来防止部材が、集積されるゴミを囲むことができる程度に大きいものが効果的である。しかし、本発明は、リボン状の部材、特に黒色のリボン状の部材が、風にふかれてひらひらと動くのを烏が嫌い、その傍に寄り付かないという性質を利用しているので、必ずしも、集積されるゴミを囲むことができる程度に大きいものである必要はなく、ゴミ集積場の周辺に配置できる小型のものでも所期の効果を得ることができる。
【００２８】
本発明装置における主軸、ハブ、補助軸、ヒンジなどの連結構造は、傘の骨格構造と同様にしても差支えないが、傘の骨格構造と同じにすると、折り畳んだ際に、第２の補助軸１３に相当する軸が下方に向かって折り畳まれ、その先端からさらに飛来防止部材１７が垂れ下がることになって主軸の長さの範囲からはみ出すため、飛来防止部材１７の始末が厄介になる。その点、請求項１に記載されているような構造にすれば、折り畳んだ状態で第２の補助軸はその先端側が上側に向かって折り畳まれるため、飛来防止部材は主軸に沿ってその長さの範囲内に収まり、飛来防止部材の始末も容易になる利点がある。
【００２９】
【発明の効果】
請求項１記載の発明によれば、主軸の一方の端には当該主軸を支持可能な台が設けられ、主軸の他方の端には第１のハブが設けられ、主軸の中央部には当該主軸に沿って移動可能な第２のハブが設けられ、第１のハブには、複数の第１の補助軸の一方の端が放射状にヒンジ接続され、第２のハブには、複数の第２の補助軸の一方の端が放射状にヒンジ接続され、第１の補助軸の他方の端は、第２の補助軸にヒンジ接続され、第２の補助軸の他方の端には、飛来防止部材を垂下させたことにより、烏がゴミ集積場所に寄り付くことを効果的に防止することができ、また、ゴミの出し入れを容易に行うことができる。さらに、ゴミがない場合には、折りたたんでコンパクトに設置しておくことが可能であり、省スペース化を図ることができる。
【００３０】
請求項２記載の発明によれば、請求項１記載の発明において、飛来防止部材を黒色のビニールコード又は黒色の短冊状ビニールシートとしたことにより、烏に警戒心を起こさせ、より効果的に烏がゴミ集積場所に寄り付くことを防止することができ、烏によるゴミの散乱を防止し、町の美観を保全することができる。
【００３１】
請求項３記載の発明によれば、請求項１又は２記載の発明において、台の内部には駆動源と駆動力伝達手段が設けられ、当該駆動源による駆動力は駆動力伝達手段を介して前記主軸に伝達されることにより、飛来防止部材がゴミの周囲を回転することにより、烏がゴミに近づかなくなり、より効果的に烏の飛来防止効果を発揮することができる。
【図面の簡単な説明】
【図１】本発明の一実施の形態に係る烏飛来防止装置の構成を示す側面図である。
【図２】図１の烏飛来防止装置を折りたたんだ状態を示す側面図である。
【図３】図１の烏飛来防止装置の上面図である。
【図４】図１の烏飛来防止装置に用いられる第１のハブの平面図である。
【符号の説明】
１…烏飛来防止装置
２…主軸
３…台
４…第１のハブ
５…係止部
６ａ、ｂ、ｃ…ボルト
７…孔
８…第１の補助軸
９…挿嵌孔
１０…第２のハブ
１１…係止部
１２…孔
１３…第２の補助軸
１４…挿嵌孔
１５…挿嵌孔
１６ａ、ｂ…孔
１７…飛来防止部材
１８…駆動源（モータ）
【図１】
2004075261.tif 000003
【図２】
2004075261.tif 000004
【図３】
2004075261.tif 000005
【図４】
2004075261.tif 000006